(57)【要約】【課題】トグルボタン周囲からの液漏れを生じさせず、排出時に液剤の流れがばらつくという問題も生じさせずに、液剤の円滑な排出を確保しつつ、安全性の観点で適量の液剤を排出可能なトグル式キャップを提供する。【解決手段】容器内部と連通する第１液流路ＦＲ１を有するキャップ本体１０と、一端側で第１液流路と連通可能であり他端側に排出口５１が形成された第２液流路ＦＲ２を有し、キャップ本体に所定の軸線周りに揺動可能に設けられ排出口が外部に露出する露出位置と、排出口がキャップ本体に遮蔽される遮蔽位置との間で移動可能なトグルボタン３０とを備える。第１液流路における、流路長さをＬ１、容器内部側端部の最大径をＤ１ａとし、第２液流路における、流路長さをＬ２、第１液流路側端部の最大径をＤ２ａとすると、（Ｌ１／Ｄ１ａ）で表される値が５以上、１０以下であり、（Ｌ２／Ｄ２ａ）で表される値が４以上、１５以下である。【選択図】図３
2019026317.tif 000002
【特許請求の範囲】
【請求項１】
容器内部と連通する第１液流路を有するキャップ本体と、
一端側で前記第１液流路と連通可能であり他端側に排出口が形成された第２液流路を有し、前記キャップ本体に所定の軸線周りに揺動可能に設けられ前記排出口が外部に露出する露出位置と、前記排出口が前記キャップ本体に遮蔽される遮蔽位置との間で移動可能なトグルボタンとを備え、
前記第１液流路における、流路長さをＬ１、前記容器内部側端部の最大径をＤ１ａとし、
前記第２液流路における、流路長さをＬ２、前記第１液流路側端部の最大径をＤ２ａとすると、
（Ｌ１／Ｄ１ａ）で表される値が５以上、１０以下であり、
（Ｌ２／Ｄ２ａ）で表される値が４以上、１５以下であることを特徴とするトグル式キャップ。
【請求項２】
前記第１液流路における、前記第２液流路側端部の最大径をＤ１ｂとし、
前記第２液流路における、前記排出口の最大径をＤ２ｂとすると、
Ｄ１ｂ≧Ｄ１ａ  及び  Ｄ２ｂ≧Ｄ２ａ
の関係をそれぞれ満足することを特徴とする請求項１記載のトグル式キャップ。
【請求項３】
（Ｄ１ｂ／Ｄ１ａ）で表される値が１．０以上、２．０以下であり、
（Ｄ２ｂ／Ｄ２ａ）で表される値が１．０以上、２．５以下であることを特徴とする請求項２に記載のトグル式キャップ。
【請求項４】
前記第１液流路における最大径Ｄ１ａは、１．０ｍｍ以上、２．０ｍｍ以下であり、
前記第２液流路における最大径をＤ２ａは、０．５ｍｍ以上、１．５ｍｍ以下であり、
（Ｄ１ａ／Ｄ２ａ）で表される値が１．０以上、２．５以下であることを特徴とする請求項１から３のいずれか一項に記載のトグル式キャップ。
【請求項５】
前記第２液流路における前記第１液流路側端部には、前記第２液流路を局所的に絞るオリフィス状の絞り部が設けられていることを特徴とする請求項１から４のいずれか一項に記載のトグル式キャップ。
【請求項６】
請求項１から５のいずれか一項に記載のトグル式キャップと、
前記トグル式キャップが装着される口部を有し内容物を収納する容器本体と、を備えることを特徴とする容器。
【発明の詳細な説明】
【技術分野】
【０００１】
本発明は、トグル式キャップ及び容器に関するものである。
【背景技術】
【０００２】
洗口剤等の液剤をボトルから取り出すキャップとしては、スクリューキャップ、トグル式キャップ、プッシュプルキャップやポンプなどが挙げられるが、その中でも適量を加減して取り出しやすいキャップとしてはトグル式キャップが多く用いられている。
【０００３】
トグル式キャップは、キャップ本体に例えば、ピボット式に取り付けられたトグルボタンを有している。キャップ本体は、容器内部と連通する液流路を有し、トグルボタンは液剤を排出する排出口と、当該排出口とキャップ本体の液流路とを接続する液流路とを有している。トグル式キャップにおいては、トグルボタンを操作して排出口が外部に露出する位置と、排出口が遮蔽される位置とを切り換えることにより、容器内の液剤の排出と排出停止とを切り換えることが可能である（例えば、特許文献１及び特許文献２参照）。
【先行技術文献】
【特許文献】
【０００４】
【特許文献１】実開昭４９−１１４０１５号公報
【特許文献２】特表平８−５１０９７８号公報
【発明の概要】
【発明が解決しようとする課題】
【０００５】
液剤を円滑に排出するためには、キャップ本体及びトグルボタンにおける流路の断面積を大きくすることが考えられる。一方、液剤がフッ素洗口剤等の要指導医薬品の場合には、安全性の観点から多量の液剤が一度に排出されすぎないようにすることが求められる。また、キャップ本体における流動抵抗とトグルボタンにおける流動抵抗との組み合わせが適切でない場合には、トグルボタン周囲から液剤が漏れ出たり、排出時に液剤の流れがばらつくといった問題が生じる。
【０００６】
本発明は、以上のような点を考慮してなされたもので、トグルボタン周囲からの液漏れを生じさせず、排出時に液剤の流れがばらつくという問題も生じさせずに、液剤の円滑な排出を確保しつつ、安全性の観点で適量の液剤を排出可能なトグル式キャップ及び容器を提供することを目的とする。
【課題を解決するための手段】
【０００７】
本発明の第１の態様に従えば、容器内部と連通する第１液流路を有するキャップ本体と、一端側で前記第１液流路と連通可能であり他端側に排出口が形成された第２液流路を有し、前記キャップ本体に所定の軸線周りに揺動可能に設けられ前記排出口が外部に露出する露出位置と、前記排出口が前記キャップ本体に遮蔽される遮蔽位置との間で移動可能なトグルボタンとを備え、前記第１液流路における、流路長さをＬ１、前記容器内部側端部の最大径をＤ１ａとし、前記第２液流路における、流路長さをＬ２、前記第１液流路側端部の最大径をＤ２ａとすると、（Ｌ１／Ｄ１ａ）で表される値が５以上、１０以下であり、（Ｌ２／Ｄ２ａ）で表される値が４以上、１５以下であることを特徴とするトグル式キャップが提供される。
【０００８】
また、上記本発明の一態様に係るトグル式キャップにおいて、前記第１液流路における、前記第２液流路側端部の最大径をＤ１ｂとし、前記第２液流路における、前記排出口の最大径をＤ２ｂとすると、Ｄ１ｂ≧Ｄ１ａ  及び  Ｄ２ｂ≧Ｄ２ａの関係をそれぞれ満足することを特徴とする。
【０００９】
また、上記本発明の一態様に係るトグル式キャップにおいて、（Ｄ１ｂ／Ｄ１ａ）で表される値が１．０以上、２．０以下であり、（Ｄ２ｂ／Ｄ２ａ）で表される値が１．０以上、２．５以下であることを特徴とする。
【００１０】
また、上記本発明の一態様に係るトグル式キャップにおいて、前記第１液流路における最大径Ｄ１ａは、１．０ｍｍ以上、２．０ｍｍ以下であり、前記第２液流路における最大径をＤ２ａは、０．５ｍｍ以上、１．５ｍｍ以下であり、（Ｄ１ａ／Ｄ２ａ）で表される値が１．０以上、２．５以下であることを特徴とする。
【００１１】
また、上記本発明の一態様に係るトグル式キャップにおいて、前記第２液流路における前記第１液流路側端部には、前記第２液流路を局所的に絞るオリフィス状の絞り部が設けられていることを特徴とする。
【００１２】
本発明の第２の態様に従えば、本発明の第１の態様のトグル式キャップと、前記トグル式キャップが装着される口部を有し内容物を収納する容器本体と、を備えることを特徴とする容器が提供される。
【発明の効果】
【００１３】
本発明では、トグルボタン周囲からの液漏れを生じさせず、排出時に液剤の流れがばらつくという問題も生じさせずに、液剤の円滑な排出を確保しつつ、安全性の観点で適量の液剤を排出可能なトグル式キャップ及び容器を提供することが可能になる。
【図面の簡単な説明】
【００１４】
【図１】本発明の実施の形態を示す図であって、排出状態（トグルボタンが露出位置）の容器１の部分斜視図である。
【図２】本発明の実施の形態を示す図であって、停止状態（トグルボタンが遮蔽位置）の容器１の部分斜視図である。
【図３】排出状態のトグル式キャップ３を軸直方向を含む面で切断した断面図である。
【図４】停止状態のトグル式キャップ３を軸直方向を含む面で切断した断面図である。
【図５】停止状態のトグルボタン３０を排出口５１の軸線を含む水平面で切断した下面図である。
【図６】トグルボタン３０が排出状態（露出位置）となったときの第１液流路ＦＲ１及び第２液流路ＦＲ２の詳細を示す図である。
【発明を実施するための形態】
【００１５】
以下、本発明のトグル式キャップ及び容器の実施の形態を、図１ないし図６を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１６】
図１及び図２は、容器１の部分斜視図である。
容器１は、例えば、洗口剤等の液剤が収容された容器本体２と、この容器本体２の口部２ａに装着されるトグル式キャップ３とを備えている。
【００１７】
以下の説明では、容器本体２に対してトグル式キャップ３が装着される側を軸直方向の上側（上方）とし、逆側を下側（下方）として適宜称する。これは、説明の便宜のために上下方向を定義したに過ぎず、本発明に係る容器１の使用時の向きを限定しない。
【００１８】
容器本体２は、例えば、ポリエチレン樹脂やポリプロピレン樹脂、ポリエステル樹脂などの合成樹脂材料をブロー成形によりボトル状に成形したものからなる。この容器本体２の底部から筒状に起立した胴部の上端部には、略円筒状に縮径された口部２ａが設けられている。また、口部２ａの外周面には、トグル式キャップ３を螺合により装着するためのネジ部（図示せず）が形成されている。
【００１９】
トグル式キャップ３は、容器本体２に収容された液剤を排出可能となる状態と、液剤の排出が停止されている状態とを切り替え可能である。図１には、容器本体２に収容された液剤を排出可能となる状態（適宜、排出状態と称する）が示され、図２には、液剤の排出が停止されている状態（適宜、停止状態と称する）が示されている。
【００２０】
図３は、排出状態のトグル式キャップ３を軸直方向を含む面で切断した断面図である。図４は、停止状態のトグル式キャップ３を軸直方向を含む面で切断した断面図である。図３及び図４に示されるように、トグル式キャップ３は、キャップ本体１０とトグルボタン３０とを有している。キャップ本体１０及びトグルボタン３０は、例えば、ポリエチレン樹脂やポリプロピレン樹脂などの合成樹脂材料からなる。
【００２１】
図５は、停止状態のトグルボタン３０を排出口５１の軸線を含む水平面で切断した下面図である。
図５に示されるように、トグルボタン３０は、長径部及び短径部を有し長径方向における両側の曲率が異なる略卵状の外径輪郭を有している。排出口５１は、長径方向において端部の曲率が大きい先鋭側に形成されている。トグルボタン３０は、長径方向において端部の曲率が小さい側に、短径方向の中央に位置してガイド部５２が突出して設けられている。以下の説明では、トグルボタン３０の長径方向において排出口５１が配置された側を排出側と称し、排出側と逆側でガイド部５２が配置された側をガイド側と称する。
【００２２】
トグルボタン３０は、短径方向の両側の外周面に半球状の嵌合突部３１を有している。嵌合突部３１は、短径方向に延びる同一軸線Ｊ上に配置されている。軸線Ｊの位置は、長径方向において中央よりもガイド側に配置されている。長径方向における軸線Ｊの位置は、例えば、トグルボタン３０の重心を通る位置である。
【００２３】
トグルボタン３０は、排出側の上面３０ａと、ガイド側で上面３０ａよりも下側に段差をもって形成された上面３０ｂとを有している。図３乃至図５に示されるように、トグルボタン３０の下面側には、円筒状に突出する内側嵌合部３２と、内側嵌合部３２の径方向外側に同心で配置された外側嵌合部３３と、外側嵌合部３３よりも径方向外側、且つ、排出側に設けられた流路壁部３４とを有している。外側嵌合部３３は、内側嵌合部３２よりも大きな突出量で形成されている。
【００２４】
流路壁部３４には、短径方向の中央に位置し、長径方向に沿って排出側に延びる第２液流路ＦＲ２が形成されている。第２液流路ＦＲ２の排出側の開口部は、排出口５１である。第２液流路ＦＲ２のガイド側端部には、当該第２液流路ＦＲ２を局所的に絞るオリフィス状の絞り部５３が設けられている。第２液流路ＦＲ２の流路径、及び絞り部５３における流路径等については後述する。
【００２５】
ガイド部５２は、トグルボタン３０のガイド側端部から下方に向けて延びている。ガイド部５２の外側の面は、側面視で外側に膨出する略円弧形状の外形輪郭を有している。
【００２６】
キャップ本体１０は、軸直方向と直交して配置された閉塞壁部１１と、軸直方向に延びる筒壁部１２とを有している。閉塞壁部１１は、筒壁部１２の軸直方向中途に配置されている。閉塞壁部１１は、上方に突出する通液管部２０を有している。通液管部２０は、上下方向に延びて貫通する第１液流路ＦＲ１を有している。第１液流路ＦＲ１は、トグル式キャップ３が口部２ａに装着されたときに、下端が容器本体２の内部空間に臨む位置に配置されている。
【００２７】
筒壁部１２は、閉塞壁部１１よりも下側に位置する第１筒部１３と、閉塞壁部１１よりも上側に位置する第２筒部１４とを有している。
【００２８】
第１筒部１３は、円筒状に形成されている。第１筒部１３の内周面には、口部２ａのネジ部に螺合するネジ部１３ａが形成されている。また、閉塞壁部１１の下面には、口部２ａの内周面に嵌合する嵌合筒部１５が形成されている。ネジ部１３ａが口部２ａのネジ部に螺合したときに嵌合筒部１５が口部２ａの内周面に嵌合するとともに、口部２ａの上端に閉塞壁部１１の下面が当接することにより、口部２ａの開口部が閉塞（シール）される。
【００２９】
図５に示されるように、第２筒部１４は、トグルボタン３０の外周面に沿った略卵状の外径輪郭を有している。第２筒部１４の内周面１４ａには、ガイド側端部に上下方向に延びるガイド溝１９が形成されている。第２筒部１４の内周面１４ａは、ガイド溝１９を除いて停止状態において、トグルボタン３０の外周面と近接する位置に配置されている。
【００３０】
第２筒部１４の内周面１４ａには、嵌合突部３１と対向する位置にトグルボタン３０が軸線Ｊ周りに揺動可能に嵌合するように嵌合凹部１６が形成されている。トグルボタン３０は、嵌合突部３１が嵌合凹部１６に嵌合することにより、軸線Ｊ周りに揺動可能である。
【００３１】
図３及び図４に示されるように、排出側における内周面１４ａには、径方向内側に突出する支持部１７が設けられている。支持部１７は、閉塞壁部１１から上方に突出している。支持部１７の高さは、図４に示されるように、トグルボタン３０が軸線Ｊ周り（図３及び図４では反時計周り）に揺動して、流路壁部３４の下面が支持部１７に当接したときに、図４に示されるように、上面３０ａが略水平となり排出口５１が第２筒部１４で遮蔽される値に設定されている。
すなわち、トグルボタン３０は、軸線Ｊ周りに揺動して支持部１７に当接して支持されたときに排出口５１の遮蔽位置となり液剤の排出が停止状態となる。
【００３２】
トグルボタン３０の上面３０ａを下方に押圧して軸線Ｊを中心としてトグルボタン３０を反時計周りに揺動させ、トグルボタン３０が遮蔽位置となった際には、トグルボタン３０の内側嵌合部３２が通液管部２０の内周面に嵌合するとともに、トグルボタン３０の外側嵌合部３３が通液管部２０の外周面に嵌合することにより、トグルボタン３０の遮蔽位置（停止状態）が保持される。
【００３３】
ガイド溝１９は、上側に開口し、ガイド部５２を幅方向に保持してトグルボタン３０を軸線Ｊ周りに揺動自在にガイドする。ガイド溝１９の下方には、径方向内側に突出する支持部１８が設けられている。支持部１８は、閉塞壁部１１から上方に突出している。支持部１８の高さは、図３に示されるように、トグルボタン３０が軸線Ｊ周り（図３及び図４では時計周り）に揺動してガイド部５２の下端部が支持部１８に当接したときに、排出口５１が外部に露出する値に設定されている。
すなわち、トグルボタン３０は、軸線Ｊ周りに揺動してガイド部５２の下面が支持部１８に当接して支持されたときに排出口５１が露出位置となり液剤を排出可能な排出状態となる。
【００３４】
また、ガイド溝１９の径方向外側に位置する底面は、トグルボタン３０が露出位置となったときにガイド部５２の径方向外側の面と係合し、トグルボタン３０を露出位置に保持する係合面２１である。
【００３５】
トグルボタン３０の上面３０ｂを下方に押圧して軸線Ｊを中心としてトグルボタン３０を時計周りに揺動させ、トグルボタン３０が露出位置となった際には、トグルボタン３０の内側嵌合部３２による通液管部２０の内周面への嵌合が解除される。トグルボタン３０が露出位置となった際には、トグルボタン３０の外側嵌合部３３による通液管部２０の外周面への嵌合は保持される。また、トグルボタン３０が露出位置となった際には、ガイド部５２の径方向外側の面が係合面２１と係合することにより、排出状態が保持される。
【００３６】
トグルボタン３０が露出位置となった際には、第１液流路ＦＲ１の第２液流路ＦＲ２側端部（上端部）と、第２液流路ＦＲ２における排出口５１と逆側の端部とが連通する。より詳細には、第１液流路ＦＲ１の第２液流路ＦＲ２側端部と、第２液流路ＦＲ２における絞り部５３の開口部とが連通する。
【００３７】
図６は、トグルボタン３０が露出位置となったときの第１液流路ＦＲ１及び第２液流路ＦＲ２の詳細を示す図である。
図６に示すように、第１液流路ＦＲ１は、容器本体２の内部側端部（下端部）から上方に向かうに従って最大径が漸次大きくなっている。すなわち、第１液流路ＦＲ１における容器本体２の内部側端部の最大径をＤ１ａとし、第２液流路ＦＲ２側端部（上端部）の最大径をＤ１ｂとすると、本実施形態のトグル式キャップ３は以下の関係を満足する。
Ｄ１ｂ≧Ｄ１ａ  …（１）
【００３８】
また、第２液流路ＦＲ２における第１液流路ＦＲ１側端部の最大径をＤ２ａとし、排出口５１側端部の最大径をＤ２ｂとすると、本実施形態のトグル式キャップ３は以下の関係を満足する。
Ｄ２ｂ≧Ｄ２ａ  …（２）
【００３９】
上記の関係（１）及び関係（２）を満足することにより、本実施形態のトグル式キャップ３においては、第１液流路ＦＲ１及び第２液流路ＦＲ２のそれぞれで下流側端部の断面積が上流側端部の断面積以上となる。そのため、本実施形態のトグル式キャップ３においては、容器本体２の内部から排出口５１に向けて流動する液剤が第１液流路ＦＲ１及び第２液流路ＦＲ２を流動する際にそれぞれ流速を低下させることが可能となる。そのため、その後に液剤が排出口５１から勢いよく吐出されることを抑制可能になるとともに、排出口５１から一定の方向に直線的、且つ、連続的に液剤を排出することが可能になる。
【００４０】
上記の効果を発揮するためには、以下の関係（３）及び関係（４）を満足することが好ましい。
１．０  ≦（Ｄ１ｂ／Ｄ１ａ）≦  ２．０  …（３）
１．０  ≦（Ｄ２ｂ／Ｄ２ａ）≦  ２．５  …（４）
関係（３）及び関係（４）を満足することにより、関係（１）及び関係（２）を満足する効果に加えて、関係（３）及び関係（４）の上限値を超えた場合に生じる、排出口５１から排出された液剤の流れのばらつきを抑制することが可能になる。
【００４１】
また、第１液流路ＦＲ１の流路長さをＬ１とし、第２液流路ＦＲ２の流路長さをＬ２とすると、本実施形態のトグル式キャップ３は以下の関係を満足する。
５≦（Ｌ１／Ｄ１ａ）≦１０  …（５）
４≦（Ｌ２／Ｄ２ａ）≦１５  …（６）
【００４２】
（Ｌ１／Ｄ１ａ）で表される値が関係（５）に示される上限値を超え、且つ、（Ｌ２／Ｄ２ａ）で表される値が関係（６）に示される上限値を超えた場合には、トグル式キャップ３においては流路抵抗が高くなりすぎるため、液剤が第１液流路ＦＲ１及び第２液流路ＦＲ２を通過するまで時間が掛かりすぎ円滑な液剤排出が困難になるという不具合が生じる可能性がある。
【００４３】
また、（Ｌ１／Ｄ１ａ）で表される値が関係（５）に示される下限値を下回り、且つ、（Ｌ２／Ｄ２ａ）で表される値が関係（６）に示される下限値を下回った場合には、トグル式キャップ３においては、流路抵抗が低くなって排出口５１から一度に液剤が排出されすぎる不具合が生じる可能性がある。
【００４４】
上記の関係（５）、（６）のうち、関係（５）のみを満足する場合には、（Ｌ２／Ｄ２ａ）で表される値によっては、液剤の流れがばらつく不具合が生じる可能性がある。また、上記の関係（５）、（６）のうち、関係（６）のみを満足する場合には、（Ｌ１／Ｄ１ａ）で表される値によっては、第２筒部１４の内周面１４ａと、トグルボタン３０の外周面との近接部から液漏れが生じるという不具合が生じる可能性がある。
上述したように、トグルボタン３０が露出位置となった際には、トグルボタン３０の外側嵌合部３３による通液管部２０の外周面への嵌合が保持されることにより、キャップ本体１０とトグルボタン３０の液密性が確保される。ところが、関係（６）を満足し、関係（５）を満足しない場合、例えば、（Ｌ１／Ｄ１ａ）で表される値が関係（５）に示される下限値を下回る場合には、第１液流路ＦＲ１における流動抵抗が第２液流路ＦＲ２における流動抵抗よりも小さくなる。その結果、第２液流路ＦＲ２からの液剤の排出量よりも第１液流路ＦＲ１から第２液流路ＦＲ２との連通部に供給される液剤の供給量が大きくなることで当該連通部における液圧が高くなり、トグルボタン３０の外側嵌合部３３による通液管部２０の外周面への嵌合部から漏れ出た液剤がキャップ本体１０とトグルボタン３０との近接部から漏れ出る可能性がある。
【００４５】
また、本実施形態のトグル式キャップ３においては、最大径Ｄ１ａが、１．０ｍｍ以上、２．０ｍｍ以下であり、最大径Ｄ２ａが、０．５ｍｍ以上、１．５ｍｍ以下であり、（Ｄ１ａ／Ｄ２ａ）で表される値が１．０以上、２．５以下であることが液剤の排出量を安全性を伴って制御し、円滑な液剤排出を可能とする観点から好ましい。
【００４６】
ここで、安全性の観点からの好ましい排出量（目標とする排出量）としては、一例として、１秒間に排出される液剤が平均１．２５ｍＬ以下である。これは、薬剤１０ｍＬを排出するために要する時間が８秒以上となる排出量である。また、円滑な液剤排出を可能とする観点からの好ましい排出量（目標とする排出量）としては、一例として、１秒間に排出される液剤が平均０．６７ｍＬ以上である。これは、薬剤１０ｍＬを排出するために要する時間が１５秒以下となる排出量である。なお、上述した一度に液剤が出過ぎるという不具合は、一例として、１秒間に排出される液剤が平均２ｍＬ以上である。これは、薬剤１０ｍＬを排出するために要する時間が５秒以下となる排出量である。
【実施例】
【００４７】
以下、実施例を示して本発明を詳細に説明するが、本発明は以下の実施例に限定されるものではなく、その要旨を逸脱しない範囲で適宜変更して実施することができる。
【００４８】
（実施例１〜５、比較例１〜４）
表１に示す仕様に従い、ポリプロピレン樹脂製のキャップ本体１０及びトグルボタン３０を射出成形により作製し、トグルボタン３０の嵌合突部３１をキャップ本体１０の嵌合凹部１６に嵌合させることにより各例のトグル式キャップ３を得た。得られたトグル式キャップ３をポリエチレン樹脂製の容器本体２に装着することにより容器１を得た。
【００４９】
（評価方法）
各例の容器１について、容器１を傾けて容器本体２に収容された液剤を排出口５１から排出し、１秒間に排出される液剤の排出量、排出性（ばらつき）及びトグル式キャップ３における液漏れについて評価した。
【００５０】
＜１秒間に排出される液剤の排出量＞
１秒間に排出される液剤の排出量は、０．６７ｍＬ以上、１．２５ｍＬ以下である場合を適合とし、０．６７ｍＬ以上、１．２５ｍＬ以下でない場合を非適合とした。
【００５１】
＜排出性（ばらつき）＞
排出性（ばらつき）は、液がばらつかずスムーズに排出される場合に「◎」と判定し、液が若干ばらつくが概ねスムーズに排出される場合に「○」と判定し、液がばらつきスムーズに排出されない場合に「×」と判定した。
【００５２】
＜液漏れ＞
液漏れは、キャップ本体１０とトグルボタン３０の嵌合部から液漏れしない場合に「○」と判定し、キャップ本体１０とトグルボタン３０の嵌合部から液漏れする場合に「×」と判定した。
【００５３】
【表１】
2019026317.tif 000003
【００５４】
表１に示されるように、（Ｌ１／Ｄ１ａ）で表される値が５以上、１０以下、（Ｌ２／Ｄ２ａ）で表される値が４以上、１５以下のいずれの関係も満足しない比較例１〜２は、１秒間に排出される液剤の排出量が非適合となり、（Ｌ１／Ｄ１ａ）で表される値が５以上、１０以下、（Ｌ２／Ｄ２ａ）で表される値が４以上、１５以下の一方を満足しない比較例３〜４は、排出性または液漏れについて非適合となった。
【００５５】
これに対して、（Ｌ１／Ｄ１ａ）で表される値が５以上、１０以下であり、（Ｌ２／Ｄ２ａ）で表される値が４以上、１５以下である実施例１〜５は、円滑な液剤排出を可能としつつ、一度に液剤が出過ぎることなく安全性の観点からの好ましい排出量で液剤を排出可能なトグル式キャップであることが確認できた。
【００５６】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【符号の説明】
【００５７】
１…容器、  ２…容器本体、  ２ａ…口部、  ３…トグル式キャップ、  １０…キャップ本体、  ３０…トグルボタン、  ５１…排出口、  ＦＲ１…第１液流路、    ＦＲ２…第２液流路
【図１】
2019026317.tif 000004
【図２】
2019026317.tif 000005
【図３】
2019026317.tif 000006
【図４】
2019026317.tif 000007
【図５】
2019026317.tif 000008
【図６】
2019026317.tif 000009